(57)【要約】【課題】カラーマネジメントが行なわることなく印刷を実行する印刷装置の出力特性をより容易に印刷結果に反映させる。【解決手段】過去機種の色合いが再現されるよう予め設定された過去機種プロファイルの１つを印刷設定用画面７０の過去機種プロファイル選択欄７６でユーザーの操作により選択し、印刷が指示されたときに過去機種プロファイルが選択されているときには、所定の入力画像のｓＲＧＢデータに係るソースプロファイルに代えて選択された過去機種プロファイルを用いると共にプリンターのデバイスプロファイルにより規定されたメディアプロファイルやルックアップテーブルを用いてカラーマネジメントを行なってＣＭＹＫデータを生成する。したがって、ユーザーは、過去機種プロファイルの１つを選択して印刷を指示するだけで、過去機種の出力特性を画像の印刷結果に反映させることができる。【選択図】図８
2011211506.tif 000002
【特許請求の範囲】
【請求項１】
カラーマネジメントを伴って画像を印刷する印刷システムであって、
印刷を実行する印刷装置と、
画像データに対してカラーマネジメントが行なわれることなく印刷を実行する第２の印
刷装置の前記画像データに対する出力特性が反映されるよう予め設定された所定のプロフ
ァイルを少なくとも１つ記憶するプロファイル記憶手段と、
前記記憶された所定のプロファイルの１つをユーザーの操作により指定プロファイルと
して選択するプロファイル選択手段と、
入力画像データの印刷が指示されたとき、前記指定プロファイルが選択されていないと
きには前記入力画像データに係る入力側プロファイルと前記印刷装置に係る出力側プロフ
ァイルとを用いてカラーマネジメントを行なって出力画像データを生成し、前記指定プロ
ファイルが選択されているときには前記入力画像データに係る入力側プロファイルに代え
て前記選択された指定プロファイルを用いると共に前記印刷装置に係る出力側プロファイ
ルを用いてカラーマネジメントを行なって出力画像データを生成する出力画像データ生成
手段と、
前記生成された出力画像データの印刷が実行されるよう前記印刷装置を制御する制御手
段と、
を備える印刷システム。
【請求項２】
請求項１記載の印刷システムであって、
前記プロファイル記憶手段は、前記第２の印刷装置で選択可能な範囲から印刷用紙と印
刷品質とを選択して印刷したときの前記第２の印刷装置の出力特性を反映する前記所定の
プロファイルを前記第２の印刷装置と印刷用紙と印刷品質との組み合わせ毎に記憶する手
段である、
印刷システム。
【請求項３】
請求項２記載の印刷システムであって、
前記第２の印刷装置と印刷用紙と印刷品質との組み合わせ毎に異なる複数の前記所定の
プロファイルのうちユーザーの操作により一部を選択して前記プロファイル記憶手段に記
憶させる記憶処理手段を備え、
前記記憶処理手段は、印刷用紙と印刷品質とが選択されることなくユーザーの操作によ
り前記第２の印刷装置が選択されたときには、前記第２の印刷装置の出力特性を反映する
前記所定のプロファイルの全てを一括で前記プロファイル記憶手段に記憶させる手段であ
る、
印刷システム。
【請求項４】
カラーマネジメントを伴って画像を印刷する印刷システムにおける印刷を実行する印刷
装置を制御する制御方法であって、
画像データに対してカラーマネジメントが行なわれることなく印刷を実行する第２の印
刷装置の前記画像データに対する出力特性が反映されるよう予め設定された所定のプロフ
ァイルを少なくとも１つ記憶し、
記憶された所定のプロファイルの１つをユーザーの操作により指定プロファイルとして
選択し、
入力画像データの印刷が指示されたとき、前記指定プロファイルが選択されていないと
きには前記入力画像データに係る入力側プロファイルと前記印刷装置に係る出力側プロフ
ァイルとを用いてカラーマネジメントを行なって出力画像データを生成し、前記指定プロ
ファイルが選択されているときには前記入力画像データに係る入力側プロファイルに代え
て前記選択された指定プロファイルを用いると共に前記印刷装置に係る出力側プロファイ
ルを用いてカラーマネジメントを行なって出力画像データを生成し、
前記生成された出力画像データの印刷が実行されるよう前記印刷装置を制御する、
印刷装置の制御方法。
【発明の詳細な説明】
【技術分野】
【０００１】
本発明は、印刷システムおよび印刷装置の制御方法に関する。
【背景技術】
【０００２】
従来、この種の印刷システムに用いられる画像処理方法としては、入力デバイスのＩＣ
Ｃプロファイルと、プリンターなどの出力デバイスのＩＣＣプロファイルとを用いて、入
力したＲＧＢデータからＣＭＹＫデータに色空間を変換して出力するカラーマネジメント
を行なうものが提案されている（例えば、特許文献１参照）。この方法では、入出力デバ
イスのＩＣＣプロファイルには、デバイス非依存のＰＣＳ色空間への変換テーブルやＰＣ
Ｓ色空間からの変換テーブル，色再現範囲の情報など、色変換に必要な情報がそれぞれ規
定されており、多様な入出力デバイス間での色変換に対応できるようになっている。
【先行技術文献】
【特許文献】
【０００３】
【特許文献１】特開２００６−１９７３９５号公報
【発明の概要】
【発明が解決しようとする課題】
【０００４】
しかしながら、上述の方法では、カラーマネジメントに際してＩＣＣプロファイルを適
正に用いるために、ある程度の専門的な知識や経験を必要とすることから、一般のユーザ
ーにとって、予め設定されたＩＣＣプロファイルを目的に応じて使い分けるのが困難とな
り、カラーマネジメントによる画像の印刷結果を適正なものとすることができない場合が
ある。例えば、ユーザーが過去に所有していたプリンターの色合いを好み、こうした色合
いを画像の印刷結果に再現させたいときに、アプリケーションプログラムなどでＩＣＣプ
ロファイルの選択に関連して設定する項目が多いと、ユーザーは、いわゆる絵作りや色作
りを好みのものとして印刷結果を得ることができなくなってしまう。
【０００５】
本発明の印刷システムおよび印刷装置の制御方法は、カラーマネジメントが行なわるこ
となく印刷を実行する印刷装置の出力特性をより容易に印刷結果に反映させることを主目
的とする。
【０００６】
本発明の印刷システムおよび印刷装置の制御方法は、上述の主目的を達成するために以
下の手段を採った。
【課題を解決するための手段】
【０００７】
本発明の印刷システムは、
印刷を実行する印刷装置と、
画像データに対してカラーマネジメントが行なわれることなく印刷を実行する第２の印
刷装置の前記画像データに対する出力特性が反映されるよう予め設定された所定のプロフ
ァイルを少なくとも１つ記憶するプロファイル記憶手段と、
前記記憶された所定のプロファイルの１つをユーザーの操作により指定プロファイルと
して選択するプロファイル選択手段と、
入力画像データの印刷が指示されたとき、前記指定プロファイルが選択されていないと
きには前記入力画像データに係る入力側プロファイルと前記印刷装置に係る出力側プロフ
ァイルとを用いてカラーマネジメントを行なって出力画像データを生成し、前記指定プロ
ファイルが選択されているときには前記入力画像データに係る入力側プロファイルに代え
て前記選択された指定プロファイルを用いると共に前記印刷装置に係る出力側プロファイ
ルを用いてカラーマネジメントを行なって出力画像データを生成する出力画像データ生成
手段と、
前記生成された出力画像データの印刷が実行されるよう前記印刷装置を制御する制御手
段と、
を備えることを要旨とする。
【０００８】
この本発明の印刷システムでは、画像データに対してカラーマネジメントが行なわれる
ことなく印刷を実行する第２の印刷装置の画像データに対する出力特性が反映されるよう
予め設定された所定のプロファイルを少なくとも１つ記憶し、記憶された所定のプロファ
イルの１つをユーザーの操作により指定プロファイルとして選択する。そして、入力画像
データの印刷が指示されたときに、指定プロファイルが選択されていないときには入力画
像データに係る入力側プロファイルと印刷装置に係る出力側プロファイルとを用いてカラ
ーマネジメントを行なって出力画像データを生成し、指定プロファイルが選択されている
ときには入力画像データに係る入力側プロファイルに代えて選択された指定プロファイル
を用いると共に印刷装置に係る出力側プロファイルを用いてカラーマネジメントを行なっ
て出力画像データを生成し、生成された出力画像データの印刷が実行されるよう印刷装置
を制御する。したがって、ユーザーは、所定のプロファイルの１つを選択して印刷を指示
することによって、例えばそのユーザーが過去に使用していた印刷装置などの第２の印刷
装置の出力特性を画像の印刷結果に反映させることができる。この結果、カラーマネジメ
ントが行なわれずに印刷を実行する印刷装置の出力特性をより容易に印刷結果に反映させ
ることができる。ここで、「入力画像データ」としては、ＲＧＢデータを用いることがで
き、「出力画像データ」には、ＣＭＹＫデータを用いることができる。また、各種「プロ
ファイル」としては、ＩＣＣプロファイルを用いることができる。
【０００９】
こうした本発明の印刷システムにおいて、前記プロファイル記憶手段は、前記第２の印
刷装置で選択可能な範囲から印刷用紙と印刷品質とを選択して印刷したときの前記第２の
印刷装置の出力特性を反映する前記所定のプロファイルを前記第２の印刷装置と印刷用紙
と印刷品質との組み合わせ毎に記憶する手段である、ものとすることもできる。こうすれ
ば、第２の印刷装置と印刷用紙と印刷品質との組み合わせによる出力特性を画像の印刷結
果に反映させることができる。ここで、「印刷用紙」としては、普通紙や写真用紙，光沢
紙，マット紙などを用いることができ、「印刷品質」としては、標準の印刷品質や標準よ
り印刷は速いが低画質，標準より印刷は遅いが高画質などを用いることができる。
【００１０】
この第２の印刷装置と印刷用紙と印刷品質との組み合わせ毎に所定のプロファイルを記
憶する態様の本発明の印刷システムにおいて、前記第２の印刷装置と印刷用紙と印刷品質
との組み合わせ毎に異なる複数の前記所定のプロファイルのうちユーザーの操作により一
部を選択して前記プロファイル記憶手段に記憶させる記憶処理手段を備え、前記記憶処理
手段は、印刷用紙と印刷品質とが選択されることなくユーザーの操作により前記第２の印
刷装置が選択されたときには、前記第２の印刷装置の出力特性を反映する前記所定のプロ
ファイルの全てを一括で前記プロファイル記憶手段に記憶させる手段である、ものとする
こともできる。こうすれば、ユーザーは、第２の印刷装置を選択するだけで第２の印刷装
置の種々の出力特性を画像の印刷結果に反映することができる状態とすることができる。
【００１１】
本発明の印刷装置の制御方法は、
カラーマネジメントを伴って画像を印刷する印刷システムにおける印刷を実行する印刷
装置を制御する制御方法であって、
画像データに対してカラーマネジメントが行なわれることなく印刷を実行する第２の印
刷装置の前記画像データに対する出力特性が反映されるよう予め設定された所定のプロフ
ァイルを少なくとも１つ記憶し、
記憶された所定のプロファイルの１つをユーザーの操作により指定プロファイルとして
選択し、
入力画像データの印刷が指示されたとき、前記指定プロファイルが選択されていないと
きには前記入力画像データに係る入力側プロファイルと前記印刷装置に係る出力側プロフ
ァイルとを用いてカラーマネジメントを行なって出力画像データを生成し、前記指定プロ
ファイルが選択されているときには前記入力画像データに係る入力側プロファイルに代え
て前記選択された指定プロファイルを用いると共に前記印刷装置に係る出力側プロファイ
ルを用いてカラーマネジメントを行なって出力画像データを生成し、
前記生成された出力画像データの印刷が実行されるよう前記印刷装置を制御する、
ことを要旨とする。
【００１２】
この本発明の印刷装置の制御方法では、画像データに対してカラーマネジメントが行な
われることなく印刷を実行する第２の印刷装置の画像データに対する出力特性が反映され
るよう予め設定された所定のプロファイルを少なくとも１つ記憶し、記憶された所定のプ
ロファイルの１つをユーザーの操作により指定プロファイルとして選択する。そして、入
力画像データの印刷が指示されたときに、指定プロファイルが選択されていないときには
入力画像データに係る入力側プロファイルと印刷装置に係る出力側プロファイルとを用い
てカラーマネジメントを行なって出力画像データを生成し、指定プロファイルが選択され
ているときには入力画像データに係る入力側プロファイルに代えて選択された指定プロフ
ァイルを用いると共に印刷装置に係る出力側プロファイルを用いてカラーマネジメントを
行なって出力画像データを生成し、生成された出力画像データの印刷が実行されるよう印
刷装置を制御する。したがって、ユーザーは、所定のプロファイルの１つを選択して印刷
を指示することによって、例えばそのユーザーが過去に使用していた印刷装置などの第２
の印刷装置の出力特性を画像の印刷結果に反映させることができる。この結果、カラーマ
ネジメントが行なわれずに印刷を実行する印刷装置の出力特性をより容易に印刷結果に反
映させることができる。ここで、「入力画像データ」としては、ＲＧＢデータを用いるこ
とができ、「出力画像データ」には、ＣＭＹＫデータを用いることができる。また、各種
「プロファイル」としては、ＩＣＣプロファイルを用いることができる。
【図面の簡単な説明】
【００１３】
【図１】印刷システム１０の構成の概略を示す構成図。
【図２】カラーマネジメントモジュール２６のワークフローの一例を示す説明図。
【図３】プロファイル記憶処理ルーチンの一例を示すフローチャート。
【図４】印刷処理ルーチンの一例を示すフローチャート。
【図５】過去機種プロファイルライブラリ画面５０の一例を示す説明図。
【図６】過去機種プロファイルの階層構造を説明する説明図。
【図７】印刷用画面６０の一例を示す説明図。
【図８】印刷設定用画面７０の一例を示す説明図。
【図９】カラーマネジメントモジュール２６のワークフローの一例を示す説明図。
【発明を実施するための形態】
【００１４】
次に、本発明の実施の形態を図面を用いて説明する。図１は、本発明の一実施形態であ
る印刷システム１０の構成の概略を示す構成図である。本実施形態の印刷システム１０は
、図１に示すように、汎用のコンピューターとして構成されたユーザーＰＣ２０と、ＵＳ
ＢケーブルやＬＡＮなどを介してユーザーＰＣ２０に接続された少なくともプリンター３
０を含む１台以上のプリンターと、インターネットなどのネットワーク１２を介してユー
ザーＰＣ２０に接続されたサーバー４０と、を備える。
【００１５】
ユーザーＰＣ２０は、ＣＰＵやＲＯＭ，ＲＡＭなどを有するコントローラー２１と、各
種アプリケーションプログラムや各種データファイルを記憶するハードディスク（ＨＤＤ
）２２と、を備える汎用のパーソナルコンピュータとして構成されている。このユーザー
ＰＣ２０は、コントローラー２１がＨＤＤ２２に記憶されたプリンター３０のドライバー
を読み出してディスプレイに印刷設定用画面を表示することによって、印刷部数や用紙サ
イズ，用紙種類，印刷品質などの基本設定に加え、カラーマネジメントを用いた色補正設
定を受け付けることができるようになっている。コントローラー２１の一機能を担うカラ
ーマネジメントモジュール２６は、ＯＳなどに組み込まれており、同じくコントローラ２
１の一機能を担う記憶処理部２４による記憶処理や各種デバイスドライバーのインストー
ル処理によってＨＤＤ２２のプロファイル記憶領域２３に記憶されたＩＣＣプロファイル
を用いて、入出力デバイスに非依存の色彩値（例えば、Ｌａｂ値）を介して入力デバイス
からの入力画像データ（例えば、ｓＲＧＢデータ）を出力デバイスの出力量としての出力
画像データ（例えば、ＣＭＹＫデータ）に変換する、即ち、カラーマネジメントを実行す
る。図２にカラーマネジメントモジュール２６によるワークフローの一例を示す。図中、
ソースプロファイル２８ａは、プロファイル記憶領域２３に記憶された入力デバイスのＩ
ＣＣプロファイルであり、メディアプロファイル２８ｂおよびルックアップテーブル２８
ｃは、プロファイル記憶領域２３に記憶された出力デバイスとしてのプリンター３０のＩ
ＣＣプロファイルであるデバイスプロファイルにより規定されたものである。カラーマネ
ジメントモジュール２６は、図５の例では、ソースプロファイル２８ａを用いて入力画像
のｓＲＧＢデータをＬａｂ値に変換するＲＧＢ−Ｌａｂ変換部２６ａと、メディアプロフ
ァイル２８ｂを用いてＬａｂ値を第２ＲＧＢ（図中、Ｒ’Ｇ’Ｂ’）データに変換するＬ
ａｂ−第２ＲＧＢ変換部２６ｂと、ルックアップテーブル２８ｃを用いて第２ＲＧＢデー
タをＣＭＹＫデータに変換する第２ＲＧＢ−ＣＭＹＫ変換部２６ｃと、により構成されて
いる。メディアプロファイル２８ｂは、プリンター３０に対して設定された印刷用紙や印
刷品質に対して適正な出力結果が得られるよう規定されたものであり、ルックアップテー
ブル２８ｃは、色補正なしのルックアップテーブルが用いられる。カラーマネジメントや
ＩＣＣプロファイルは周知の技術であるため、これ以上の詳細な説明は省略する。
【００１６】
プリンター３０は、装置全体を制御するコントローラーや電源ボタン，各種設定ボタン
，ディスプレイなどを有するインクジェットプリンターとして構成されており、ＣＭＹＫ
（シアン（Ｃ），マゼンダ（Ｍ），イエロー（Ｙ），ブラック（Ｋ））の４色のインクを
用紙に吐出することにより文字や画像の印刷を実行する。
【００１７】
サーバー４０は、各種データファイルを記憶するハードディスク（ＨＤＤ）４２などを
有するＷｅｂサーバーとして構成されている。このＨＤＤ４２のダウンロード用記憶領域
４３には、カラーマネジメントが行なわれることなく入力画像データから変換されたイン
クの出力量に応じて印刷を実行する過去に製造されていたものを中心とする各種プリンタ
ー（以下、過去機種という）に関し、こうした過去機種の色合い（出力特性）が再現され
るよう予め過去機種の出力結果を測色するなどして設定された種々のＩＣＣプロファイル
（以下、過去機種プロファイルという）が記憶されている。本実施形態で用いる過去機種
プロファイルは、ｓＲＧＢデータからＬａｂ値への変換テーブル（例えば、相対的な色域
を維持する変換方式に対応したＡ２Ｂ１など）を規定しており、ユーザーＰＣ２０のコン
トローラー２１により起動されたアプリケーションプログラムの要求に応じ、記憶処理部
２４によってＨＤＤ２２のプロファイル記憶領域２３にダウンロードされ記憶される。
【００１８】
次に、こうして構成された本実施形態の印刷システム１０の動作、特にカラーマネジメ
ントを伴って画像を印刷する際の動作について説明する。図３はユーザーＰＣ２０のコン
トローラー２１のＣＰＵにより実行されるプロファイル記憶処理ルーチンの一例を示すフ
ローチャートであり、図４はユーザーＰＣ２０のコントローラー２１のＣＰＵにより実行
される印刷処理ルーチンの一例を示すフローチャートである。以下、説明の都合上、プロ
ファイル記憶処理について先に説明し、その後に印刷処理について説明する。図３のプロ
ファイル記憶処理ルーチンは、コントローラー２１が起動したアプリケーションプログラ
ムによりサーバー４０にアクセスし、図５に例示する過去機種プロファイルライブラリ画
面５０が表示されたときに実行される。
【００１９】
プロファイル記憶処理ルーチンが実行されると、コントローラ２１のＣＰＵは、まず、
過去機種プロファイルを選択する処理を実行する（ステップＳ１００）。過去機種プロフ
ァイルの選択は、図５の過去機種プロファイルライブラリ画面５０におけるユーザーの操
作により、過去機種選択欄５２で過去機種名が選択されると共に、用紙種類について「全
部」ラジオボタン５３ａまたは「一部」ラジオボタン５３ｂがチェックされ、更に印刷品
質について「全部」ラジオボタン５５ａまたは「一部」ラジオボタン５５ｂがチェックさ
れることによって行なわれる。図６に過去機種プロファイルの階層構造の一例を示す。本
実施形態の過去機種プロファイルは、図示するように、過去機種名と、その過去機種で選
択可能な用紙種類（例えば「普通紙」や「写真用紙」，「光沢紙」，「マット紙」など）
と、その過去機種で設定可能な印刷品質（例えば「はやい」，「標準」，「きれい」など
）との組み合わせ毎に、その過去機種で用紙種類と印刷品質とを選択した印刷したときの
色合い（出力特性）が再現されるように予め設定され、サーバー４０のＨＤＤ４２に記憶
されている。したがって、過去機種プロファイルライブラリ画面５０では、過去機種選択
欄５２により過去機種の１つを選択可能であると共に、用紙種類について「一部」ラジオ
ボタン５３ｂにチェックが入れられると、選択された過去機種で選択可能な範囲で用紙種
類選択欄５４により印刷用紙の１つが選択可能となり、印刷品質について「一部」ラジオ
ボタン５５ｂにチェックが入れられると、選択された過去機種で設定可能な範囲で印刷品
質選択欄５６により印刷品質の１つが選択可能となる。また、用紙種類について「全部」
ラジオボタン５３ａにチェックが入れられると、選択された過去機種で選択可能な全ての
印刷用紙が選択されたものとなり、印刷品質について「全部」ラジオボタン５５ａにチェ
ックが入れられると、選択された過去機種で設定可能な全ての印刷品質が選択されたもの
となる。例えば、過去機種として「ＸＸ−１００」が選択され、用紙種類について「全部
」ラジオボタン５３ａがチェックされると共に印刷品質についても「全部」ラジオボタン
５３ｂがチェックされると、「ＸＸ−１００＿普通紙＿標準」，「ＸＸ−１００＿普通紙
＿きれい」，「ＸＸ−１００＿写真用紙＿標準」，「ＸＸ−１００＿写真用紙＿きれい」
の４つの過去機種プロファイル、即ち、過去機種「ＸＸ−１００」についての全てのプロ
ファイルが一括で選択されたことになる。
【００２０】
こうして過去機種プロファイルが選択されると、選択された過去機種プロファイルをダ
ウンロードするか否かを判定し（ステップＳ１１０）、ダウンロードしないと判定された
ときには、ステップＳ１００の処理に戻ってダウンロードすると判定されるのを待つ。ダ
ウンロードの判定は、過去機種プロファイルライブラリ画面５０の「ＯＫ」ボタン５８が
操作されたか否かにより判定することができる。なお、過去機種プロファイルライブラリ
画面５０の「キャンセル」ボタン５９が操作されたときには、過去機種プロファイルライ
ブラリ画面５０は閉じられ、過去機種プロファイルのダウンロードは行なわれずに、本ル
ーチンの実行を終了する。
【００２１】
ダウンロードすると判定されたときには、選択された１つまたは複数の過去機種プロフ
ァイルをＨＤＤ２２のプロファイル記憶領域２３にダウンロードして記憶し（ステップＳ
１２０）、プロファイル記憶処理ルーチンを終了する。この記憶処理は、コントローラー
２１の記憶処理部２４によって行なわれる。以上、プロファイル記憶処理について説明し
た。次に、印刷処理について説明する。
【００２２】
図４の印刷処理ルーチンは、コントローラー２１が起動したアプリケーションプログラ
ムにより印刷設定が指示されたときに実行される。印刷設定の指示は、本実施形態では、
アプリケーションプログラムにより表示される図７の印刷用画面６０において、印刷を実
行するプリンター名がプリンター選択欄６２で選択され、「印刷設定」ボタン６４が操作
されたときに行なわれる。以下、説明を分かりやすくするために、印刷対象の所定の入力
画像に係る入力画像データはｓＲＧＢデータであるものとする。また、印刷用画面６０の
プリンター選択欄６２ではプリンター３０が選択されるものとし、その選択後に「印刷設
定」ボタン６４が操作されると、プリンター３０のドライバーの設定を行なうため、図８
に例示する印刷設定用画面７０が表示され、図７の印刷用画面６０は非アクティブとされ
るものとして、印刷処理の説明を行なう。
【００２３】
印刷処理ルーチンが実行されると、コントローラ２１のＣＰＵは、まず、印刷部数や用
紙サイズ，用紙種類，印刷品質などの印刷設定の基本設定を行なうと共に（ステップＳ２
００）、過去機種プロファイルの選択などの印刷設定の色補正設定を行なう（ステップＳ
２１０）。ここで、基本設定は、ユーザーの操作により印刷設定用画面７０の「基本設定
」タグ７１が選択されて行なわれるものとした。用紙サイズとしては「Ｌ版」や「Ｂ５」
，「Ａ４」などが設定され、用紙種類としては前述の「普通紙」や「写真用紙」，「光沢
紙」，「マット紙」などが設定され、印刷品質としては前述の「はやい」，「標準」，「
きれい」などを設定することができ、初期値としては予め設定されたこれらの組み合わせ
の１つを設定することができる。また、色補正設定は、図８に示すように、「色補正設定
」タグ７２が選択され、初期値としてもチェックされている「標準（自動）」ラジオボタ
ン７４ａまたは「過去機種シミュレーション」ラジオボタン７４ｂにユーザーがチェック
を入れたり、「過去機種シミュレーション」ラジオボタン７４ｂにチェックが入れられた
状態で過去機種プロファイル選択欄７６で過去機種プロファイルの１つ（初期値は例えば
所定のルールに従ってソートしたときに最前のものなど）をユーザーが選択することによ
って行なうことができる。
【００２４】
続いて、印刷設定が完了したか否かを判定し（ステップＳ２２０）、印刷設定が完了し
ていないときには、ステップＳ２００の処理に戻り、ステップＳ２００〜Ｓ２２０の処理
を繰り返し実行している最中に印刷設定が完了したと判定されたときには、印刷実行が指
示されたか否かを判定する（ステップＳ２３０）。ここで、印刷設定については、本実施
形態では、印刷設定用画面７０の「ＯＫ」ボタン７８が操作されたときの基本設定や色補
正設定の状態で設定が完了すると共に設定完了と判定され、印刷設定用画面７０の「キャ
ンセル」ボタン７９が操作されたときには印刷設定用画面７０が表示されたときの状態（
例えば、各初期値の状態）で設定が完了すると共に設定完了と判定される。印刷設定用画
面７０で「ＯＫ」ボタン７８や「キャンセル」ボタン７９が操作されると、印刷設定用画
面７０は閉じられ、印刷用画面６０がアクティブになる。また、印刷実行については、印
刷用画面６０の「ＯＫ」ボタン６８が操作されたときに指示されたと判定される。なお、
印刷用画面６０の「キャンセル」ボタン６９が操作されると、印刷用画面６０は閉じられ
、本ルーチンの実行を終了する。
【００２５】
印刷実行が指示されていないときには、印刷実行が指示されるのを待ち、印刷実行が指
示されたときには、印刷設定の色補正設定として過去機種プロファイルが選択されている
か否か、即ち、印刷設定用画面７０で「過去機種シミュレーション」ラジオボタン７４ｂ
がチェックされているか否か、を判定する（ステップＳ２４０）。過去機種プロファイル
が選択されていないとき、即ち、印刷設定用画面７０で「標準（自動）」ラジオボタン７
４ａがチェックされている状態であるときには、所定の入力画像のｓＲＧＢデータに係る
ソースプロファイル２８ａとプリンター３０のデバイスプロファイルにより規定されたメ
ディアプロファイル２８ｂおよびルックアップテーブル２８ｃとを用いて、図２のワーク
フローに従ってｓＲＧＢデータからＣＭＹＫデータを生成し（ステップＳ２５０）、印刷
用画面６０のプリンター選択欄６２で選択されているプリンター３０に生成したＣＭＹＫ
データを印刷設定と共に送信して画像の印刷を指示して（ステップＳ２７０）、印刷処理
ルーチンを終了する。ＣＭＹＫデータを受信したプリンター３０は、受信したＣＭＹＫデ
ータによる画像の印刷を印刷設定に基づいて実行する。こうした処理により、通常のカラ
ーマネジメントが実行されるから、所定の入力画像の色再現性を十分に確保して印刷結果
としての出力画像を得ることができる。
【００２６】
一方、過去機種プロファイルが選択されているときには、所定の入力画像のｓＲＧＢデ
ータに係るソースプロファイル２８ａに代えて選択された過去機種プロファイルを用いる
と共に、プリンター３０のデバイスプロファイルにより規定されたメディアプロファイル
２８ｂおよびルックアップテーブル２８ｃについてはそのまま用いて、ｓＲＧＢデータか
らＣＭＹＫデータを生成し（ステップＳ２６０）、生成したＣＭＹＫデータを印刷設定と
共にプリンター３０に送信して画像の印刷を指示して（ステップＳ２７０）、印刷処理ル
ーチンを終了する。図９に、過去機種プロファイルが選択されて印刷実行が指示されたと
きのカラーマネジメントモジュール２６によるワークフローの一例を示す。図示するよう
に、カラーマネジメントモジュール２６のＲＧＢ−Ｌａｂ変換部２６ａは、図２のワーク
フローで用いる入力デバイスのソースプロファイル２８ａに代えて、印刷設定用画面７０
の過去機種プロファイル選択欄７６で選択された過去機種プロファイル２８ｄを用いて、
ｓＲＧＢデータをＬａｂデータに変換している。この変換後のＬａｂ−第２ＲＧＢ変換部
２６ｂや第２ＲＧＢ−ＣＭＹＫ変換部２６ｃによる変換は、図２のワークフローと同様に
行なわれる。したがって、所定の入力画像に係るｓＲＧＢデータは、過去機種の色合いが
再現されるよう予め設定された過去機種プロファイル２８ｄにより規定された変換テーブ
ルを用いて、デバイスに非依存のＬａｂ値に変換されるから、過去機種の色合いを再現し
たＬａｂ値を得ることができる。さらに、プリンター３０のデバイスプロファイルを用い
て、プリンター３０に対して設定された印刷用紙や印刷品質に応じて適正な出力結果が得
られるようにＣＭＹＫデータを生成するから、印刷用紙や印刷品質に応じて過去機種の色
合いを再現したＣＭＹＫデータを得ることができる。こうした処理により、ユーザーは、
過去機種プロファイルの１つを選択して印刷を指示するだけで、例えばそのユーザーが過
去に使用していたプリンターの出力特性を画像の印刷結果に反映させることができる。こ
の結果、カラーマネジメントが行なわることなく印刷を実行するプリンターの出力特性を
、より容易に印刷結果に反映させることができる。
【００２７】
ここで、本実施形態の構成要素と本発明の構成要素との対応関係を明らかにする。本実
施形態のプリンター３０が「印刷装置」に相当し、ユーザーＰＣ２０のＨＤＤ２２のプロ
ファイル記憶領域２３が「プロファイル記憶手段」に相当し、印刷設定用画面７０からユ
ーザーの操作により過去機種プロファイルを選択する図４の印刷処理ルーチンのステップ
Ｓ２１０の処理を実行するコントローラー２１が「プロファイル選択手段」に相当し、印
刷設定用画面７０で過去機種プロファイルが選択されずに印刷用画面６０で印刷実行が指
示されたときには通常のカラーマネジメントを行なってＣＭＹＫデータを生成し、過去機
種プロファイルが選択されて印刷実行が指示されたときにはソースプロファイル２８ａに
代えて選択された過去機種プロファイル２８ｄを用いてカラーマネジメントを行なってＣ
ＭＹＫデータを生成する図４の印刷処理ルーチンのステップＳ２５０，Ｓ２６０の処理を
実行するカラーマネジメントモジュール２６を含むコントローラー２１が「出力画像デー
タ生成手段」に相当し、生成した出力画像データの印刷を指示する図４の印刷処理ルーチ
ンのステップＳ２７０の処理を実行するコントローラー２１が「制御手段」に相当する。
また、過去機種プロファイルダウンロード画面５０からユーザーの操作により選択された
過去機種プロファイルをダウンロードしてＨＤＤ２２のプロファイル記憶領域２３に記憶
させる図３のプロファイル記憶処理ルーチンのステップＳ１２０の処理を実行するコント
ローラー２１の記憶処理部２４が「記憶処理手段」に相当する。なお、本実施形態では、
印刷システム１０の動作を説明することにより本発明の印刷装置の制御方法の一例も明ら
かにしている。
【００２８】
以上説明した本実施形態の印刷システム１０によれば、カラーマネジメントが行なわれ
ることなく印刷を実行する過去機種の色合いが再現されるよう予め設定された過去機種プ
ロファイルの１つを印刷設定用画面７０の過去機種プロファイル選択欄７６でユーザーの
操作により選択し、所定の入力画像に係るｓＲＧＢデータの印刷が指示されたときに過去
機種プロファイルが選択されているときには、ｓＲＧＢデータに係るソースプロファイル
２８ａに代えて選択された過去機種プロファイルを用いると共にプリンター３０のデバイ
スプロファイルにより規定されたメディアプロファイル２８ｂやルックアップテーブル２
８ｃを用いてカラーマネジメントを行なってＣＭＹＫデータを生成し、生成したＣＭＹＫ
データによる画像の印刷が実行されるようプリンター３０を制御するから、ユーザーは、
過去機種プロファイルの１つを選択して印刷を指示するだけで、過去機種の出力特性を画
像の印刷結果に反映させることができる。この結果、カラーマネジメントが行なわること
なく印刷を実行するプリンターの出力特性をより容易に印刷結果に反映させることができ
る。また、過去機種プロファイルライブラリ画面５０から用紙種類と印刷品質については
一部を選択せずに過去機種名をユーザーが選択することにより、選択された過去機種の過
去機種プロファイルの全てを一括でＨＤＤ２２のプロファイル記憶領域２３に記憶させる
から、ユーザーは、過去機種を選択するだけでその機種の種々の出力特性を画像の印刷結
果に反映可能な状態とすることができる。
【００２９】
なお、本発明は上述した実施形態に何ら限定されることはなく、本発明の技術的範囲に
属する限り種々の態様で実施し得ることはいうまでもない。
【００３０】
上述した実施形態では、過去機種プロファイルライブラリ画面５０から用紙種類と印刷
品質とについては過去機種の１つに対して「全部」または「一部」を選択可能としたが、
「一部」のみを選択可能としてもよい。
【００３１】
上述した実施形態では、過去機種プロファイルは、過去機種名と用紙種類と印刷品質と
の組み合わせ毎に予め設定されているものとしたが、用紙種類と印刷品質とにかかわらず
１つの過去機種に対して１つの過去機種プロファイルのみが予め設定されているものとし
てもよい。
【産業上の利用可能性】
【００３２】
本発明は、印刷システムや印刷装置の製造産業などに利用可能である。
【符号の説明】
【００３３】
１０  印刷システム、１２  ネットワーク、２０  ユーザーＰＣ、２１  コントローラ
ー、  ２２  ハードディスク（ＨＤＤ）、２３  プロファイル記憶領域、２４  記憶処理
部、２６  カラーマネジメントモジュール、２６ａ  ＲＧＢ−Ｌａｂ変換部、２６ｂ  Ｌ
ａｂ−第２ＲＧＢ変換部、２６ｃ  第２ＲＧＢ−ＣＭＹＫ変換部、２８ａ  ソースプロフ
ァイル、２８ｂ  メディアプロファイル、２８ｃ  ルックアップテーブル、２８ｄ  過去
機種プロファイル、３０  プリンター、４０  サーバー、４２  ハードディスク（ＨＤＤ
）、４３  ダウンロード用記憶領域、５０  過去機種プロファイルライブラリ画面、５２
過去機種選択欄、５３ａ  「全部」ラジオボタン、５３ｂ  「一部」ラジオボタン、５
４  用紙種類選択欄、５５ａ  「全部」ラジオボタン、５５ｂ  「一部」ラジオボタン、
５６  印刷品質選択欄、５８  「ダウンロード」ボタン、５９  「キャンセル」ボタン、
６０  印刷用画面、６２  プリンター選択欄、６４  「印刷設定」ボタン、６８  「ＯＫ
」ボタン、６９  「キャンセル」ボタン、７０  印刷設定用画面、７１  「基本設定」タ
グ、７２  「色補正設定」タグ、７４ａ  「標準（自動）」ラジオボタン、７４ｂ  「過
去機種シミュレーション」ボタン、７６  過去機種プロファイル選択欄、７８  「ＯＫ」
ボタン、７９  「キャンセル」ボタン。
【図１】
2011211506.tif 000003
【図２】
2011211506.tif 000004
【図３】
2011211506.tif 000005
【図４】
2011211506.tif 000006
【図５】
2011211506.tif 000007
【図６】
2011211506.tif 000008
【図７】
2011211506.tif 000009
【図８】
2011211506.tif 000010
【図９】
2011211506.tif 000011